(57)【要約】【課題】電子機器における外来ノイズや不要輻射ノイズを効果的に抑制する。【解決手段】平面状の絶縁体１１の少なくとも一方の面上に、複数の開孔１２ａを形成した導電体層１２を重ねて設ることによってノイズシールド板１を構成する。その導電体層１２の開孔１２ａは、少なくとも所定の領域内ではその形状及び大きさが同じで、その分布密度も均一であることが望ましい。高周波ノイズによる電流は太い破線で示すように開孔１２ａの内周の近傍に沿うループ状の経路をとり、高周波電流の分布を均一化するとともにそのループ内の面積を小さくして、外来ノイズの影響や不要輻射ノイズの放散を低減する。【選択図】        図１
2004214412.tif 000002
【特許請求の範囲】
【請求項１】
平板状の絶縁体の少なくとも一方の面上に、複数の開孔を形成した導電体層を重ねて設けたことを特徴とするノイズシールド板。
【請求項２】
請求項１記載のノイズシールド板において、
前記導電体層に形成した複数の開孔は、少なくとも所定の領域内ではその形状及び大きさが同じで、その分布密度も均一であることを特徴とするノイズシールド板。
【請求項３】
請求項１又は２に記載のノイズシールド板において、
前記導電体層に形成された開孔の形状が、円、楕円、又は正多角形のいずれかであることを特徴とするノイズシールド板。
【請求項４】
平板状の絶縁体の少なくとも一方の面上に、網目状又は格子状の導電体を重ねて設けたことを特徴とするノイズシールド板。
【請求項５】
請求項１乃至４のいずれか一項に記載のノイズシールド板を２枚以上重ねて構成したことを特徴とするノイズシールド板。
【請求項６】
平板状の絶縁体の一方の面上に複数の開孔を形成した導電体層を重ねて設け、他方の面上に導電材によるプリント配線パターンを形成したことを特徴とするプリント配線板。
【請求項７】
請求項６記載のプリント配線板において、
前記導電体層に形成した複数の開孔は、少なくとも所定の領域内ではその形状及び大きさが同じで、その分布密度も均一であることを特徴とするプリント配線板。
【請求項８】
請求項６又は７に記載のプリント配線板において、
前記導電体層に形成された開孔の形状が、円、楕円、又は正多角形のいずれかであることを特徴とするプリント配線板。
【請求項９】
平板状の絶縁体の一方の面上に網目状又は格子状の導電体を重ねて設け、他方の面上に導電材によるプリント配線パターンを形成したことを特徴とするプリント配線板。
【請求項１０】
請求項６乃至９のいずれか一項に記載のプリント配線板において、
前記絶縁体の一方の面上の前記導電体層に形成された開孔内を電子・電気デバイスの実装スペースとし、該絶縁体に該開孔内の両面間を貫通する配線用及び／又は前記電子・電気デバイスのリード端子挿通用の透孔を形成したことを特徴とするプリント配線板。
【請求項１１】
請求項６乃至１０のいずれか一項に記載のプリント配線板を、絶縁層を挟んで複数枚重ねて構成したことを特徴とするプリント配線板。
【発明の詳細な説明】
【０００１】
【発明の属する技術分野】
この発明は、各種電子機器の回路に対する外来ノイズや不要輻射ノイズを抑制するノイズシールド板、およびそれを応用したプリント配線板に関する。
【０００２】
【従来の技術】
電子機器の電磁波障害は、ノイズの発生源より発生した電磁波が導体や空間を媒体にして妨害を受ける機器に伝わることにより発生する。そのノイズの発生源としては、日常使用しているさまざまな通信機器や電気製品がある。例えば、テレビ、ＣＤラジカセ、ＶＴＲ、電子レンジ、冷蔵庫、洗濯機、電気掃除機、パソコン、携帯電話、産業用ロボット、各種医療機器など種々ある。
また、ノイズの伝播には導体伝導と空間伝導とがあるが、高い周波数のノイズでは、空間伝導によって発生する電磁波障害の頻度が多くなる。高機能デジタル化された電子機器では、より多くの機能に基づいた仕事をするために、使用する周波数はより一層高周波化の方向に向かっている。
【０００３】
このようなデジタル機器では、クロック発振器、デジタルＩＣ、スイッチング電源などにノイズ発生源があり、電子・電気デバイス内で発生したノイズは、プリント配線板のパターンや電源線、信号線、Ｉ／Ｏケーブルなどを伝わって流れる。その際、これらの各導電体がアンテナとなり、そのノイズの一部を空中に放出する。
そして、それらノイズ電流が流れる導電体の経路にインピーダンスが急に変わるところがあると、そこで反射が起こり定在波（定常波）が立ち、その周波数の付近ではアンテナ効率がよくなり、強力なノイズを放射することになる。この定在波は、ラインのインピーダンスより低いインピーダンスで終端されている場合には、導体長さが１／４波長の偶数倍となる周波数付近で発生し、終端が開放されている場合のように、ラインのインピーダンスより高いインピーダンスで終端されている場合には、導体長さが１／４波長の奇数倍となる周波数付近で発生する。
【０００４】
プリント配線板上の導電体から放射されるノイズの特徴は、ケーブルや電源線からの放射のときより短い長さの導電体で共振を起こすことである。これは、プリント配線板では、導電体が比誘電率が空気中と比べて大きい樹脂基板に接しているので、導電体周辺の平均的な比誘電率が大きくなるため、電磁波の速度（比誘電率の平方根に反比例する）が遅くなることによる。
つまり、プリント配線板上の導電体の場合には空気中と比べて電磁波の速度が遅くなるため、１／４波長や１／２波長で共振する周波数はそれぞれ空気中と比べて低くなる。その結果、プリント配線板がノイズのアンテナになる。
【０００５】
そこで、プリント配線板がノイズのアンテナになることの防止策の一つとして、従来、ノイズ発生源を導電体で覆ってシールドするためのノイズシールド板や全面に導電層を設けたプリント配線板が知られている。
例えば、導電層を設けたプリント配線板は、通常絶縁基板上に信号パターン、電源パターン及び接続部等からなる配線パターン層を生成して、この配線パターン層を被覆するように通常アンダーコートと呼ばれる第１絶縁体層を形成し、その第１絶縁体層上に接続部を介して上記配線パターン層と接続するように銀や銅ペースト等による導電体層を全面に被覆形成している。さらに、この導電体層の上に通常オーバーコートと呼ばれる第２絶縁体層を被覆形成して構成される。
【０００６】
そして、このようなプリント配線板では、導電体層とその導電体層が絶縁される配線パターン層の接続部との間の抵抗を減少させるため、基板表面に形成された配線パターンと導電体層との接触面積を可能な限り大きくするようにしている。
また、配線パターン層と導電体層との接続部は、単に接続可能な箇所に設けるか、あるいは、電子デバイスとプリント配線板との接続用ランドの周りに設けるようにしている。さらに、導電体層は、電源パターンの極性にかかわらず一様に形成する方法が採られている。
例えば、特許文献１に見られるように、絶縁体の基板上に配線パターン層及びそれと同極性の電源パターンを配置すると共に、その電源パターンと接続部を介して接続されるベタパターンの導電体層の極性をその電源パターンの極性と逆にして、電源パターンと導電体層間のキャパシタンスの容量を増大させ、ノイズ抑制効果を高めるプリント配線板が提案されている。
【０００７】
【特許文献１】
特開平７―２８３５８０号公報
【０００８】
【発明が解決しようとする課題】
しかしながら、このような従来のプリント配線板やノイズシールド板では、全面（ベタパターン）導電体層の導電性によるシールド効果の他、導電体層とその導電体層と逆極性となる電源パターンとの間のストレイキャパシタンスのみで、外来ノイズや不要輻射ノイズの抑制を行っているため、ノイズの抑制効果が充分でないという問題があった。
それは、近年の電子・電気デバイスの高機能デジタル化に伴い、より高周波化された外来ノイズや不要輻射ノイズが発生するようになっているためである。
【０００９】
そこで、例えば、図１５の（ａ）に平面図を、（ｂ）にそのＸ−Ｘ線に沿う断面図を示すように、絶縁体の基板１１０の一方の面の全面にベタパターンの導電体層１２０を設けたノイズシールド板１００において、その導電体層１２０のｐ点とｑ点の間に高周波信号を印加すると、導電体層１２０に流れる電流は導電体層１２０の表面付近で端の方に流れ易くなるため、太い破線１３０で示すように表面付近に大きなループ状の電流経路ができる。
そのため、ノイズシールド板の導電体層１２０は、充分な面積や厚み（ｄ０）があるにも関わらず、ノイズを抑制するためのシールド効果を充分に発揮できないばかりか、そのループ状の電流経路によってアンテナを形成し、ノイズがそのアンテナから放射されることになる。
前述の特許文献１に示されたようなプリント配線板のベタパターンの導電体層によってシールドする場合も同様である。
【００１０】
この発明は、このような問題を解決するためになされたものであり、電子・電気デバイスの高機能デジタル化に伴う外来ノイズや不要輻射ノイズの高周波化による電磁波障害に対しても、充分なシールド効果が得られるようにすることを目的とする。
【００１１】
【課題を解決するための手段】
この発明によるノイズシールド板は、上記の目的を達成するため、平板状の絶縁体の少なくとも一方の面上に、複数の開孔を形成した導電体層を重ねて設けたものである。
その導電体層の複数の開孔は、少なくとも所定の領域内ではその形状及び大きさが同じで、その分布密度も均一になるようにするとよい。また、その開孔の形状は、円、楕円、又は正多角形のいずれであってもよいし、その他の形状であってもよい。
あるいは、平板状の絶縁体の少なくとも一方の面上に、網目状又は格子状の導電体層を重ねて設けてもよい。
さらに、これらのノイズシールド板を２枚以上重ねて１枚のノイズシールド板を構成するようしてもよい。
【００１２】
また、この発明によるプリント配線板は、上記の目的を達成するため、平板状の絶縁体の一方の面上に複数の開孔を形成した導電体層を重ねて設け、他方の面上に導電材によるプリント配線パターンを形成したものである。
このプリント配線板においても、その導電体層の複数の開孔は、少なくとも所定の領域内ではその形状及び大きさが同じで、その分布密度も均一になるようにするとよい。また、その開孔の形状は、円、楕円、又は正多角形のいずれであってもよいし、その他の形状であってもよい。
あるいは、平板状の絶縁体の少なくとも一方の面上に、網目状又は格子状の導電体層を重ねて設け、他方の面上に導電材によるプリント配線パターンを形成してもよい。
【００１３】
さらに、これらのプリント配線板において、絶縁体の一方の面上の導電体層に形成された開孔内を電子・電気デバイスの実装スペースとし、その絶縁体にその開孔内の両面間を貫通する配線用及び／又は上記電子・電気デバイスのリード端子挿通用の透孔（スルーホール又はビアホール）を形成してもよい。
そして、これらのプリント配線板を絶縁層を挟んで複数枚重ねて、１枚のプリント配線板を構成するようにしてもよい。
【００１４】
【発明の実施の形態】
以下、この発明の実施の形態を図面に基づいて具体的に説明する。
〔ノイズシールド板〕
先ず、この発明によるノイズシールド板の実施形態について説明する。
図１は、この発明によるノイズシールド板の第１の実施形態を示す図であり、（ａ）はその平面図、（ｂ）はそのＡ−Ａ線に沿う断面図である。このノイズシールド板１は、一様な厚みを有する平板状の絶縁体１１の一方の面に、一様な厚さを有し、複数の開孔１２ａを形成した導電体層１２を重ねて設けたものである。
その複数の開孔１２ａはいずれもその直径がＤ１の円形の開孔であり、導電体層１２の一方の面の全面に略均一な密度で分布して形成されている。図示の例では、各開孔１２ａが縦横に整列して配列されているが、それに限るものではない。
【００１５】
この第１の実施形態において、絶縁体１１は、例えば酸化アルミニウム質焼結体や窒化アルミニウム質焼結体、炭化珪素質焼結体、ガラスセラミックス等の無機絶縁材料、またはエポキシ樹脂、フッ素樹脂等の有機絶縁材料、あるいはセラミックス粉末等の無機絶縁物粉末をエポキシ系樹脂等の熱硬化性樹脂で結合して成る複合絶縁材料等を使用して形成される。
この絶縁体１１の厚さは、使用する材料の特性に応じて、また要求される使用条件に対応する機械的強度や電気的特性等の条件を満たすように適宜設定される。
【００１６】
導電体層１２は、例えば銅、銀、銀・パラジウム等の金属粉末のメタライズ、あるいは銅、銀、ニッケル、クロム、チタンやそれらの合金等の金属材料の薄膜で形成される。
この導電体層１２は絶縁体１１の表面全体に、例えば印刷法、スパッタリング法、真空蒸着法、またはメッキ法等により金属層を形成した後、フォトリソグラフィ法により、多数の開孔１２ａが所定のパターン形状（この例では円形）及び大きさに形成されている。
なお、これらの絶縁体および導電体層の材料や形成方法は、以後に説明するノイズシールド板の各実施形態およびプリント配線板の各実施形態における絶縁体および導電体層にも共通する。
【００１７】
この図１に示すノイズシールド板１において、（ａ）に示す▲１▼点と▲２▼点の間に高周波信号を印加すると、導電体層１２に破線で示すような経路で電流が流れる。その太い破線で示す部分は、この電流の電流密度が大きい経路を示しており、それは▲１▼点と▲２▼点の間を開孔１２ａの円周に沿って結ぶループ状の経路となり、このループの大きさのアンテナを形成する。
このときの開孔１２ａの円周Ｌは、Ｌ＝π×Ｄ１であり、円形の開孔１２ａの面積Ｓは、Ｓ＝π×（Ｄ１／２）２となる。
また、放射電界強度Ｅは、Ｅ＝Ｋ・Ｓ・Ｉｎ・ｆ２／ｄ１  と表せる。
ここで、Ｋ：定数、Ｓ：ループ内の面積、Ｉｎ：ノイズ電流、ｆ：周波数、
ｄ１：導電体層１２の厚さ、である。
【００１８】
上記の式より、ループ内の面積Ｓが小さければ小さいほど放射電界強度Ｅは小さくなり、空間伝導（空間放射）つまり不要輻射ノイズが低減されることになる。
ループ内の面積Ｓの大きさは、ループの長さである円周Ｌあるいは円の直径Ｄ１によって決まる。そして、特に低減したい周波数での波長λから円周Ｌおよび円の大きさ（直径Ｄ１）を決めることができる。この場合、λ≫Ｌ／４となるようにするのが望ましい。しかし、実際は、この開孔１２ａの円形にくりぬかれた部分の絶縁体１１の平均的な比誘電率εｒは材料によって異なるが３〜６くらいで、空気中の場合よりも大きくなるので、Ｌ≫１２・λとなるように開孔１２ａの大きさすなわち円の直径Ｄ１の大きさを決めるのが好ましい。
【００１９】
次に、導電体層１２の厚さ方向に流れる電流の分布は、電流が高周波化されるに伴ってより表面側にしか流れなくなってくる（この場合の電流を表皮電流という）。ノイズ電流Ｉｎの表皮電流が１／ｅ（ｅ：自然数）となった場合に、その表皮電流が流れる深さをスキン深さ（Ｓｋｉｎ  ｄｅｐｔｈ）ｄｓとすると、それは下記の式で表わされる。
ｄｓ＝√（２／ω・μ・α）
ここで、ω：角周波数、μ：透磁率、α：導電率、である。
【００２０】
導電体層１２には主に銅が使用されており、この銅を用いた場合の各周波数におけるスキン深さｄｓを求めると、１００ＭＨｚ：６．６１μｍ、１ＧＨｚ：２．０９μｍである。導電体層１２の厚さがこのスキン深さｄｓの４倍程度であれば、その周波数のノイズ電流の約９０％を流すことができる。しかし、表皮電流は導電体層１２の両表面付近にそれぞれ流れることを考慮すると、導電体層１２の厚さを決定する際には、若干余裕を持たせる必要がある。
不要輻射ノイズは、３０ＭＨｚ〜１ＧＨｚの法規制が適用されるので、ノイズシールド板１の導電体層１２の厚さが３５μｍであれば適正値の範囲内にあるといえる。なお、周波数が２００ＭＨｚ以上の帯域におけるノイズは、ＣＰＵ等を搭載した制御基板から放射されている可能性が大きく、ノイズシールド板１の導電体層１２の厚さｄ１は、一般的な厚さである３５μｍと比較して充分すぎるものなので、厚さをこれより薄くすることは可能である。
【００２１】
また、高周波電流は、導体の表皮や端の部分に流れる傾向が強いので、そのような部分では、電流密度が大きくなることにより抵抗損失も増加するが、抵抗の値そのものは充分に小さいので、ノイズの放射に対する影響は小さく、大部分は熱として放出されることになる。さらに、図１の（ａ）に示すように導電体層１２の開孔１２ａの形状が一様なことから、この導電体層１２を流れる電流は分散して平行電界に近いものになり、理想的なノイズシールド板を提供することができる。
このように、この実施形態によれば、高周波化されたノイズであっても、ノイズを放射するループの面積が小さく、高周波電流の分布が均一になりやすいことから、ベタパターンの導電体によるシールドのようにストレイキャパシタンスに頼ることなく、高周波化された不要輻射ノイズを効果的に低減することができる。
【００２２】
図２はこの発明によるノイズシールド板の第２の実施形態の断面図である。
このノイズシールド板２は、平板状の絶縁体１１の一方面に厚さｄ１で多数の開孔１２ａを有する第１の導電体層１２を、他方の面に厚さｄ２で多数の開孔１３ａを有する第２の導電体層１３を、それぞれ重ねて設けている。
このノイズシールド板２によれば、絶縁体１１は２つの導電体層１２，１３によってサンドイッチされているので、シールド効果をより発揮できる。そして、以下に示す他の各実施形態においても、このように絶縁体の両面にそれぞれ複数の開孔を形成した導電体層を設ければ、シールド効果をより一層増大することが可能である。
この絶縁体１１の両面の導電体層１２と導電体層１３は、その材料および厚さｄ１，ｄ２、開孔１２ａ，１３ａの大きさやその分布状態などが、同じでも異なっていてもよいが、この例では同じにしている。
【００２３】
次に、この発明によるノイズシールド板の第３の実施形態について図３によって説明する。図３の（ａ）はそのノイズシールド板の平面図、（ｂ）はそのＢ−Ｂ線に沿う断面図である。
このノイズシールド板３は、平板状の絶縁体１１の一方の面上に、一辺の長さがＤ２の正方形の一様な形状の複数の開孔１４ａを均一な密度で縦横に整列して形成した導電体層１４を重ねて設けている。その導電体層１４の厚さはｄ３である。
このノイズシールド板３の導電体層１４において、図３の（ａ）に示す▲３▼点と▲４▼点の間に流れる高周波電流の経路は、太い破線で示すように正方形の開孔１４ａの内縁に近接したループ状に形成される。
なお、このように、開孔１４ａの形状が正方形の場合は、円や楕円の場合と比べて▲３▼点と▲４▼点の間の高周波電流が流れにくいため、若干シールド効果は落ちるが、高周波化された不要輻射ノイズを低減する効果に変わりはない。
【００２４】
ここで、この発明によるノイズシールド板の導電体層に形成する開孔の形状および分布の異なる例を示す。以下の図にはその導電体層のみを示す。
図４は導電体層１５の開孔１５ａの形状が楕円形の例を示す。図５は導電体層１６に径の異なる開孔１６ａ，１６ｂを交互に列設した例を示す。
図６および図７は、ノイズシールド板が異なる周波数のノイズをシールドするための複数の領域を有する場合の導電体層の例を示す。
【００２５】
図６に示す例は、導電体層１７が第１の領域１７Ａと第２の領域１７Ｂから構成されており、その第１の領域１７Ａ内には多数の円形の開孔１７ａ形成され、第２の領域１７Ｂ内には、多数の正方形の開孔１７ｂが形成されている。
そして、各領域１７Ａ，１７Ｂ内の複数の開孔１７ａ，１７ｂは、それぞれの領域内ではその形状と大きさが同じでその分布も均一である。これは、ノイズ発生源が複数の領域で存在した場合に、それらの発生源に近いところでそれぞれ異なる周波数のノイズに応じたシールド効果を発揮するために、その各周波数に応じた形状と大きさの開孔を、各領域内にその分布を均一にして形成したものである。
図７に示す例は、導電体層１８の第１の領域１８Ａと第２の領域１８Ｂに、いずれも円形の開孔１８ａ，１８ｂが形成されているが、その円の大きさと分布が第１の領域１８Ａ内と第２の領域１８Ｂ内では異なる場合を示している。この場合も、各領域１８Ａ，１８Ｂにおいて異なる周波数のノイズ発生源に対応するシールド効果を発揮することができる。
【００２６】
このような導電体層を設けた複数の領域を有するノイズシールド板を使用することによって、複数のノイズ発生源に近いところで、その各ノイズ発生源が発生する周波数の異なるノイズを効果的にシールドすることができる。
上述した各実施形態では、その導電体層の開孔の形状が円、楕円、及び正方形の例を示したが、正方形以外の多角形や長方形、その他の形状であってもよい。しかし、ノイズ電流が流れる経路をなるべく短くしてアンテナ効果を小さくするためには、円形の開孔にするのが最も好ましく、次いでそれに近い多角形や楕円にするのがよい。
【００２７】
この発明によるノイズシールド板の導電体層のさらに他の例を図８および図９に示す。図８に示す導電体層１９は、多数の正方形の開孔１９ａを形成する格子状の導電材からなっている。
また、図９に一部分を示す導電体層２０は、多数の六角形の開孔２０ａを形成する網状の導電材からなっている。
これらの導電体層１９，２０の格子状又は網状のパターンは、平板状の絶縁体の表面の全面に導電体膜を形成した後、エッチング等を施すことによって形成してもよいが、導線を格子状又は網状に編んだものも使用することができる。
このような導電体層を設ければ、ノイズ電流が流れる経路はその格子又は網目による開孔１９ａ又は２０ａに沿ったループとなり、そのループ面積をより小さくすることができるので、放射電界強度Ｅがより小さくなってシールド効果をより一層発揮できる。特に、格子や網目が細かい導線で編んだものは、電流の分布をより均一に分散させることができるので、シールド効果を高めることができる。
【００２８】
次に、この発明によるノイズシールド板の第４の実施形態について図１０によって説明する。
この実施形態は、図１によって説明した第１の実施形態のノイズシールド板１と、図２によって説明した第２の実施形態のノイズシールド板２とを重ねて張り合せ、１枚のノイズシールド板を構成したものである。
したがって、２枚の絶縁体１１と３層の導電体層１２，１２，１３によって構成され、その各導電体層に形成された開孔１２ａ，１３ａは、いずれも同じ径の円形で同じ位置に設けられている。しかし、これに限るものではなく、各導電体層の開孔の形状および大きさやその形成位置などを異ならせてもよい。
【００２９】
また、前述した各実施形態及び導電体層のノイズシールド板を、同じものでも異なるものでも任意に組み合わせて複数枚（２枚以上）重ねて張り合せ、１枚のノイズシールド板を構成することができる。
それによって、同じ周波数の高周波ノイズをより確実にシールドできるようにしたり、異なる周波数の複数の高周波ノイズのシールドを可能にしたりすることができる。
【００３０】
〔プリント配線板〕
次に、この発明によるプリント配線板の実施形態について説明する。
図１１はその第１の実施形態の断面図である。このプリント配線板５は、図１に示したノイズシールド板１と同様な一様な厚みを有する平面形状の絶縁体５１の一方の面上に、複数の開孔５２ａを形成した導電体層５２を重ねて設け、他方の面上に導電材によるプリント配線パターン５３を形成したものである。
なお、そのプリント配線パターン５３は図示の都合上クロスハッチングで示しているが、実際にはＩＣ、ＬＳＩ、トランジスタ等の能動素子、およびコンデンサヤ抵抗等の受動素子などの回路素子を搭載して種々の電子回路を構成するために、その回路上で信号を伝送する信号線や電源を供給するための電源線、グランド線や端子等の複雑な配線パターンが、銅膜等のエッチングによって形成されている。
【００３１】
このプリント配線板５の絶縁体１１とその一方の面上に設けた導電体層５２及びその開孔５２ａについては、前述したノイズシールド板の各実施形態と同様に構成することができる。
したがって、その導電体層５２の複数の開孔５２ａは、少なくとも所定の領域内ではその形状及び大きさが同じで、その分布密度も均一になるようにするとよい。また、その開孔５２ａの形状は、円、楕円、又は正多角形のいずれでもよいし、その他の形状でもよい。あるいは、網目状又は格子状の導電体であってもよい。
【００３２】
このプリント配線基板５を使用すれば、その導電体層５２のシールド効果によって、プリント配線パターン５３側の電子回路に対する絶縁体５１の反対側からの高周波ノイズの影響を大幅に低減させることができる。また、その電子回路からの高周波ノイズの放射も大幅に低減することができる。
また、このようなプリント配線板を、絶縁層を挟んで複数枚重ねて１枚のプリント配線板を構成するようにしてもよい。その場合、一番外側の両面に、それぞれ複数の開孔を形成した導電体層を設けるようにするとよい。
【００３３】
次に、この発明によるプリント配線板の第２の実施形態を図１２および図１３によって説明する。図１２はそのプリント配線板に電子・電気デバイスを搭載した状態を示す平面図、図１３はそのプリント配線板の部分的な断面図である。
このプリント配線板６は、絶縁体６１の一方の面上の導電体層６２に形成された複数の開孔６２ａ内を、ＩＣ、ＬＳＩ、トランジスタ等の電子・電気デバイス（図示の例ではＩＣ）１０の実装スペースとし、その絶縁体６１の他方の面には図１３に示すように導電材によるプリント配線パターン６３を形成している。図１３ではそのプリント配線パターン６３をクロスハッチングを施して模式的に示している。
【００３４】
さらに、その図１３に示すように、絶縁体６１に開孔６２ａ内の両面間を貫通する配線用及び／又は電子・電気デバイス１０のリード端子挿通用の透孔として複数のスルーホール６１ａを形成している。
このプリント配線板６の構成は基本的には図１１に示した第１の実施形態のプリント配線基板５と同様であるが、導電体層６２の開孔６２ａの大きさや形状をそこに搭載する電子・電気デバイスに対応させて形成するとよい。図１２に示す例では、開孔６２を全て同じ径の円形にして、同じ電子・電気デバイス１０を搭載しているが、それに限らず、異なる電子・電気デバイスを搭載できるように、異なる大きさや形状の開孔を形成するようにしてもよい。
【００３５】
また、図１３に示すスルーホール６１ａは、絶縁体６１一方の面上の導電体層６２の開孔６２ａ内に搭載した電子・電気デバイス１０と、他方の面上に形成したプリント配線パターン６３の所定の配線とを電気的に接続するために設けたものである。なお、スルーホール６１ａに挿入される配線等を省略するために、スルーホール６１ａの内壁を、例えば銅、銀、ニッケル、クロム、チタン、金、ニオブとそれらの合金等の金属材料によって薄膜を形成して導体化してもよい。
図１３に示す例では、その導体化したスルーホール６１ａに、電子・電気デバイス１０であるＩＣのリード端子（足）を挿入して、プリント配線パターン６３と接続するようにしている。このスルーホール６１ａの大きさや数および配置は、用途に合わせて適宜変更し得る。
【００３６】
この実施形態によれば、導電体層６２の開孔６２ａの内周に沿う部分によって、図１２に太い破線で示すように電子・電気デバイス１０に対するショートリングＳが形成されている。このショートリングＳにより、空中に輻射されるノイズの磁界が打ち消されるので、シールド効果を発揮することができる。
なお、開孔６２ａの形状や大きさを、そこに搭載する電子・電気デバイス１０が発生するノイズの周波数に合わせたショートリングＳを生成するように選定することにより、ノイズ発生源に近いところでその空中への輻射を効果的に打ち消すことが可能になり、シールド効果を一層発揮することができる。
【００３７】
次に、この発明によるプリント配線板の第３の実施形態を図１４によって説明する。この第３の実施形態は、上述した第１の実施形態のプリント配線板５あるいは第２の実施形態のプリント配線板６のような、同種あるいは異種のプリント配線板を絶縁層を挟んで複数枚重ねて、１枚のプリント配線板を構成するものである。
【００３８】
図１４に示す例では、図１２および図１３に示したようなプリント配線板６と、それと類似する構成のプリント配線板７を、互いにその絶縁体６１，７１の導電体層６２，７２側を外側にして、プリント配線パターン６３，７３側を向かい合わせ、その間に絶縁層８１を挟んで重ね合わせて接着して、新たな一枚のプリント配線板８を構成している。
その各絶縁体６１，７１には、図示は省略しているが、第２の実施形態で説明したような透孔によるスルーホール（２層の上下面間を貫通する透孔）やビアホール（一層のみを貫通する透孔）を多数形成して、両側の電子部品や回路パターンの電気的な接続を可能にしている。
【００３９】
そして、３つの絶縁体層（絶縁体６１，７１と絶縁層８１）に対して、４つの導電層（導電体層６２，７２とプリント配線パターン６３，７３）を配設している。外側の導電体層６２，７２を電源層（＋電位層、−電位層の基準電位層とする）として、内側のプリント配線パターン６３，７３をその他の信号線等のパターンにすることにより、ベタパターンの場合と同様にストレイキャパシタンスによる効果を加えることができ、一層のノイズ対策を行うことができる。
外側の導電体層６２，７２を、いずれも電子・電気デバイスを搭載しない第１の実施形態のプリント配線板５の導電体層５２のようにしてもよいし、それらを組み合わせて重ね合わせてもよい。
【００４０】
【発明の効果】
以上説明してきたように、この発明によるノイズシールド板及びそれを応用したプリント配線板を使用すれば、電子・電気デバイスの高機能デジタル化に伴って高周波化された外来ノイズや不要輻射ノイズによる電磁波障害に対して、ノイズを放射するループ面積を小さくしてアンテナ作用を減衰させるとともに、高周波電流の分布を均一にすることにより充分なシールド効果を得ることができる。電子・電気デバイスの近傍にショートリングを生成することによっても、ノイズ輻射に対するシールド効果を得ることができる。
【図面の簡単な説明】
【図１】この発明によるノイズシールド板の第１の実施形態を示す図であり、（ａ）は平面図、（ｂ）はそのＡ−Ａ線に沿う断面図である。
【図２】この発明によるノイズシールド板の第２の実施形態を示す断面図である。
【図３】この発明によるノイズシールド板の第３の実施形態を示す図であり、（ａ）は平面図、（ｂ）はそのＢ−Ｂ線に沿う断面図である。
【図４】この発明によるノイズシールド板の導電体層の他の例を示す平面図である。
【図５】同じく導電体層のさらに他の例を示す平面図である。
【図６】この発明による複数の領域を有するノイズシールド板の導電体層の例を示す平面図である。
【図７】同じくその導電体層の他の例を示す平面図である。
【図８】格子状の導電体層の例を示す平面図である。
【図９】網状の導電体層の一部分を示す平面図である。
【図１０】この発明によるノイズシールド板の第４の実施形態を示す断面図である。
【図１１】この発明によるプリント配線板の第１の実施形態を模式的に示す断面図である。
【図１２】上この発明によるプリント配線板の第２の実施形態における導電体層の開孔内に電子・電気デバイスを実装した状態を示す平面図である。
【図１３】同じくそのプリント配線板の部分的な断面図である。
【図１４】この発明によるプリント配線板の第３の実施形態を示す模式的な断面図である。
【図１５】従来例のノイズシールド板の一例を示す図であり、（ａ）は平面図、（ｂ）はそのＸ−Ｘ線に沿う断面図である。
【符号の説明】
１，２，３，４：ノイズシールド板
５，６，７，８：プリント配線板
１０：電気・電子デバイス    １０ａ：リード端子
１１，５１，６１，７１：絶縁体
１２〜２０，５２，６２，７２：導電体層
１２ａ〜２０ａ，５２ａ，６２ａ，７２ａ：開孔
１７Ａ，１７Ｂ，１８Ａ，１８Ｂ：領域
【図１】
2004214412.tif 000003
【図２】
2004214412.tif 000004
【図３】
2004214412.tif 000005
【図４】
2004214412.tif 000006
【図５】
2004214412.tif 000007
【図６】
2004214412.tif 000008
【図７】
2004214412.tif 000009
【図８】
2004214412.tif 000010
【図９】
2004214412.tif 000011
【図１０】
2004214412.tif 000012
【図１１】
2004214412.tif 000013
【図１２】
2004214412.tif 000014
【図１３】
2004214412.tif 000015
【図１４】
2004214412.tif 000016
【図１５】
2004214412.tif 000017